(57)【要約】【課題】携帯端末から必要な宛先を容易に取得できるようにすること。【解決手段】画像形成装置１１０は、ネットワーク１０４、１０６において画像データを送信する宛先を入力するための第１の宛先入力画面画像を表示する際に、携帯端末１５０に予め定められたアプリケーションを起動させるためのアプリ情報をＮＦＣタグ１１９に記憶させる。ユーザが携帯端末１５０をＮＦＣタグ１１９にかざすことで、携帯端末１５０は、ＮＦＣタグ１１９に記憶されているアプリ情報を読み取り、予め定められたアプリケーションを起動させ、携帯端末１５０に記憶されている宛先を含む宛先リストを生成し、その宛先リストを、ＮＦＣユニット１５５を介して、画像形成装置１１０に送る。画像形成装置１１０は、その宛先リストに含まれている宛先を、画像データを送信する宛先として選択することのできる第２の宛先入力画面画像を表示する。【選択図】図１
2019083376.tif 000002
【特許請求の範囲】
【請求項１】
複合装置及び前記複合装置に接続することができる携帯端末を備える通信システムにおいて、前記携帯端末は、複数の項目の各々に前記携帯端末で通信を行う相手先毎に複数の宛先を登録することのできる端末アドレス帳を有し、前記複合装置が前記携帯端末から情報を取得する情報取得方法であって、
前記複合装置が実行することのできる複数の機能から、宛先の入力を必要とする一つの機能を選択するステップと、
前記複数の宛先の内の１以上の宛先を示す前記情報を前記携帯端末が前記複合装置に送信するステップと、を有し、
前記選択するステップ及び前記送信するステップの間、又は、前記送信するステップの後に、前記一つの機能に対応する少なくとも一つの宛先を決定するステップをさらに備えること
を特徴とする情報取得方法。
【請求項２】
前記携帯端末は、前記選択するステップ及び前記送信するステップの間に、前記決定するステップを実行し、
前記決定するステップにおいて、前記携帯端末は、前記複数の宛先から前記少なくとも一つの宛先を決定し、
前記送信するステップにおいて、前記携帯端末は、前記少なくとも一つの宛先を、前記１以上の宛先として、少なくとも一つのリスト項目に含む宛先リストを、前記情報として、前記複合装置に送信すること
を特徴とする請求項１に記載の情報取得方法。
【請求項３】
前記複合装置が、前記一つの機能を示す情報を前記携帯端末に送信するステップをさらに備えること
を特徴とする請求項２に記載の情報取得方法。
【請求項４】
前記携帯端末は、前記携帯端末で通話を行った少なくとも一つの相手先を示す履歴情報をさらに有し、
前記宛先リストは、前記携帯端末で通信を行う相手先毎に前記一つのリスト項目を含み、
前記送信するステップにおいて、前記携帯端末は、前記履歴情報に従って、前記宛先リストをソートすること
を特徴とする請求項２又は３に記載の情報取得方法。
【請求項５】
前記決定するステップにおいて前記携帯端末が通話中である場合には、前記携帯端末は、前記複数の項目の内、通話中の相手先に対応する項目が、前記一つの機能に対応する宛先である第１の宛先を含むときには、前記第１の宛先を前記少なくとも一つの宛先として決定すること
を特徴とする請求項２又は３に記載の情報取得方法。
【請求項６】
前記携帯端末は、前記携帯端末で通話を行った少なくとも一つの相手先を示す履歴情報をさらに有し、
前記決定するステップにおいて、前記携帯端末は、前記複数の項目の内、前記少なくとも一つの相手先に対応する少なくとも一つの項目が、前記一つの機能に対応する宛先である第２の宛先を含むときには、前記第２の宛先を前記少なくとも一つの宛先として決定すること
を特徴とする請求項２又は３に記載の情報取得方法。
【請求項７】
前記決定するステップにおいて、前記携帯端末は、前記少なくとも一つの相手先の内、予め定められた期間内に通話した相手先に対応する項目を前記複数の項目から収集し、前記収集された項目が前記第２の宛先を含むか否かを判断すること
を特徴とする請求項６に記載の情報取得方法。
【請求項８】
前記決定するステップにおいて、前記携帯端末は、前記少なくとも一つの相手先の内、予め定められた数の相手先に対応する項目を前記複数の項目から収集し、前記収集された項目が前記第２の宛先を含むか否かを判断すること
を特徴とする請求項６に記載の情報取得方法。
【請求項９】
前記複合装置は、前記送信するステップの後に、前記決定するステップを実行し、
前記決定するステップにおいて、前記携帯端末は、前記１以上の宛先から、前記少なくとも一つの宛先を決定すること
を特徴とする請求項１に記載の情報取得方法。
【請求項１０】
前記複合装置が、前記一つの機能において画像データを送信する宛先である送信宛先を入力するための第１の宛先入力画面画像を表示するステップと、
前記複合装置が、前記少なくとも一つの宛先を選択することで、前記送信宛先を入力することのできる第２の宛先入力画面画像を表示するステップと、をさらに備えること
を特徴とする請求項１から１１の何れか一項に記載の情報取得方法。
【請求項１１】
複合装置及び前記複合装置に接続することができる携帯端末を備える通信システムにおいて、前記携帯端末は、複数の項目の各々に前記携帯端末で通信を行う相手先の識別情報及び複数の宛先を登録することのできる端末アドレス帳を有し、前記複合装置は、複数のレコードの各々に前記複合装置で通信を行う相手先毎に複数の宛先を登録することのできる装置アドレス帳を有し、前記複合装置が前記携帯端末から情報を取得する情報取得方法であって、
前記複合装置が実行することのできる複数の機能から、宛先の入力を必要とする一つの機能を選択するステップと、
前記携帯端末が、前記複数の項目の内、通話中の相手先に対応する項目の識別情報を少なくとも一つのリスト項目に含む宛先リストを前記情報として、前記複合装置に送信するステップと、
前記複合装置が、前記装置アドレス帳に含まれている複数のレコードの内、前記少なくとも一つのリスト項目に対応するレコードから、前記一つの機能に対応する宛先を抽出して、前記抽出された宛先を前記少なくとも一つのリスト項目に追加するステップと、を備えること
を特徴とする情報取得方法。
【請求項１２】
複合装置及び前記複合装置に接続することができる携帯端末を備える通信システムにおいて、前記携帯端末は、複数の項目の各々に前記携帯端末で通信を行う相手先の識別情報及び複数の宛先を登録することのできる端末アドレス帳及び前記携帯端末で通話を行った少なくとも一つの相手先を示す履歴情報を有し、前記複合装置は、複数のレコードの各々に前記複合装置で通信を行う相手先毎に複数の宛先を登録することのできる装置アドレス帳を有し、前記複合装置が前記携帯端末から情報を取得する情報取得方法であって、
前記複合装置が実行することのできる複数の機能から、宛先の入力を必要とする一つの機能を選択するステップと、
前記携帯端末が、前記複数の項目の内、前記履歴情報に含まれている少なくとも一つの相手先に対応する項目の識別情報を少なくとも一つのリスト項目に含む宛先リストを前記情報として、前記複合装置に送信するステップと、
前記複合装置が、前記装置アドレス帳に含まれている複数のレコードの内、前記少なくとも一つのリスト項目に対応するレコードから、前記一つの機能に対応する宛先を抽出して、前記抽出された宛先を前記少なくとも一つのリスト項目に追加するステップと、を備えること
を特徴とする情報取得方法。
【請求項１３】
前記複合装置が、前記一つの機能において画像データを送信する宛先である送信宛先を入力するための第１の宛先入力画面画像を表示するステップと、
前記複合装置が、前記抽出された宛先を選択することで、前記送信宛先を入力することのできる第２の宛先入力画面画像を表示するステップと、をさらに備えること
を特徴とする請求項１１又は１２に記載の情報取得方法。
【請求項１４】
複合装置及び携帯端末を備える通信システムであって、
前記複合装置は、
ＮＦＣ（Ｎｅａｒ  Ｆｉｅｌｄ  Ｃｏｍｍｕｎｉｃａｔｉｏｎ）規格に対応したＮＦＣタグと、
前記ＮＦＣ規格に対応した近距離無線通信を行う装置ＮＦＣユニットと、
ネットワークに接続するための装置通信部と、
前記ネットワークにおいて画像データを送信する宛先である送信宛先を入力するための第１の宛先入力画面画像を表示する装置表示部と、
前記送信宛先の入力を受け付ける装置入力部と、
前記第１の宛先入力画面画像を前記装置表示部が表示する際に、前記携帯端末に予め定められたアプリケーションを起動させるためのアプリ情報を前記ＮＦＣタグに記憶させる装置制御部と、を備え、
前記携帯端末は、
複数の項目を有し、前記複数の項目の各々は、前記携帯端末で通信を行う相手先毎に複数の宛先を登録することのできる端末アドレス帳を記憶する端末記憶部と、
前記ＮＦＣ規格に対応した近距離無線通信を行う端末ＮＦＣユニットと、
前記第１の宛先入力画面画像が前記装置表示部に表示されている状態において、前記端末ＮＦＣユニットが前記ＮＦＣタグと通信することにより、前記アプリ情報を取得し、前記取得されたアプリ情報に従って前記予め定められたアプリケーションを起動して、前記複数の項目の内の少なくとも一つの項目に登録されている少なくとも一つの宛先を少なくとも一つのリスト項目に含む宛先リストを生成し、前記生成された宛先リストを前記端末ＮＦＣユニットに前記装置ＮＦＣユニットへ送信させる端末制御部と、を備え、
前記装置制御部は、前記装置ＮＦＣユニットを介して、前記宛先リストを取得して、前記宛先リストに含まれている前記少なくとも一つの宛先を選択することで、前記送信宛先を入力することのできる第２の宛先入力画面画像を前記装置表示部に表示させること
を特徴とする通信システム。
【請求項１５】
ＮＦＣ（Ｎｅａｒ  Ｆｉｅｌｄ  Ｃｏｍｍｕｎｉｃａｔｉｏｎ）規格に対応した近距離無線通信を行う端末ＮＦＣユニットを備えるコンピュータを、
複数の項目の各々に、前記コンピュータで通信を行う相手先毎に複数の宛先を登録することのできる端末アドレス帳を記憶する端末記憶部、及び、
前記端末ＮＦＣユニットを介して、ネットワークにおいて画像データを送信する宛先である送信宛先を入力するための第１の宛先入力画面画像を表示する複合装置から、前記コンピュータに予め定められたアプリケーションを起動させるためのアプリ情報を取得し、前記取得されたアプリ情報に従って前記予め定められたアプリケーションを起動して、前記複数の項目の内の少なくとも一つの項目に登録されている少なくとも一つの宛先を少なくとも一つのリスト項目に含む宛先リストを生成し、前記生成された宛先リストを前記端末ＮＦＣユニットに前記複合装置へ送信させる端末制御部、として機能させること
を特徴とするプログラム。
【発明の詳細な説明】
【技術分野】
【０００１】
本発明は、情報取得方法、通信システム及びプログラムに関する。
【背景技術】
【０００２】
従来、ファクシミリ送信又はメール送信等のように、宛先の入力を要する機能を複合装置で利用する場合には、複合装置に予め宛先を登録する、又は、毎回宛先を入力する必要がある。
【０００３】
特許文献１には、ＰＤＡ（Ｐｅｒｓｏｎａｌ  Ｄｉｇｉｔａｌ  Ａｓｓｉｓｔａｎｔ）に登録されているファクシミリ番号を読み込むことのできるＭＦＰ（Ｍｕｌｔｉ  Ｆｕｎｃｔｉｏｎ  Ｐｒｉｎｔｅｒ）が記載されている。
【先行技術文献】
【特許文献】
【０００４】
【特許文献１】特開平１１‐２０５５１６号公報
【発明の概要】
【発明が解決しようとする課題】
【０００５】
宛先の入力を手動で行うと操作の手間がかかり、入力ミスの可能性も高くなる。
【０００６】
従来技術では、ユーザは、ＰＤＡをＳＣＳＩ（Ｓｍａｌｌ  Ｃｏｍｐｕｔｅｒ  Ｓｙｓｔｅｍ  Ｉｎｔｅｒｆａｃｅ）でＭＦＰに接続して、ＰＤＡにおいてアドレス帳機能を起動させるとともに、ＭＦＰにおいてアドレス帳作成機能を起動させる必要がある。このため、ユーザが行わなければならない操作が多く、ユーザの負荷が大きい。また、従来技術は、ファクシミリ番号を読み込んでおり、メールアドレス等の他の宛先には対応していない。
【０００７】
そこで、本発明は、携帯端末から必要な宛先を容易に取得することができるようにすることを目的とする。
【課題を解決するための手段】
【０００８】
本発明の第１の態様に係る情報取得方法は、複合装置及び前記複合装置に接続することができる携帯端末を備える通信システムにおいて、前記携帯端末は、複数の項目の各々に前記携帯端末で通信を行う相手先毎に複数の宛先を登録することのできる端末アドレス帳を有し、前記複合装置が前記携帯端末から情報を取得する情報取得方法であって、前記複合装置が実行することのできる複数の機能から、宛先の入力を必要とする一つの機能を選択するステップと、前記複数の宛先の内の１以上の宛先を示す前記情報を前記携帯端末が前記複合装置に送信するステップと、を有し、前記選択するステップ及び前記送信するステップの間、又は、前記送信するステップの後に、前記一つの機能に対応する少なくとも一つの宛先を決定するステップをさらに備えることを特徴とする。
【０００９】
本発明の第２の態様に係る情報取得方法は、複合装置及び前記複合装置に接続することができる携帯端末を備える通信システムにおいて、前記携帯端末は、複数の項目の各々に前記携帯端末で通信を行う相手先の識別情報及び複数の宛先を登録することのできる端末アドレス帳を有し、前記複合装置は、複数のレコードの各々に前記複合装置で通信を行う相手先毎に複数の宛先を登録することのできる装置アドレス帳を有し、前記複合装置が前記携帯端末から情報を取得する情報取得方法であって、前記複合装置が実行することのできる複数の機能から、宛先の入力を必要とする一つの機能を選択するステップと、前記携帯端末が、前記複数の項目の内、通話中の相手先に対応する項目の識別情報を少なくとも一つのリスト項目に含む宛先リストを前記情報として、前記複合装置に送信するステップと、前記複合装置が、前記装置アドレス帳に含まれている複数のレコードの内、前記少なくとも一つのリスト項目に対応するレコードから、前記一つの機能に対応する宛先を抽出して、前記抽出された宛先を前記少なくとも一つのリスト項目に追加するステップと、を備えることを特徴とする。
【００１０】
本発明の第３の態様に係る情報取得方法は、複合装置及び前記複合装置に接続することができる携帯端末を備える通信システムにおいて、前記携帯端末は、複数の項目の各々に前記携帯端末で通信を行う相手先の識別情報及び複数の宛先を登録することのできる端末アドレス帳及び前記携帯端末で通話を行った少なくとも一つの相手先を示す履歴情報を有し、前記複合装置は、複数のレコードの各々に前記複合装置で通信を行う相手先毎に複数の宛先を登録することのできる装置アドレス帳を有し、前記複合装置が前記携帯端末から情報を取得する情報取得方法であって、前記複合装置が実行することのできる複数の機能から、宛先の入力を必要とする一つの機能を選択するステップと、前記携帯端末が、前記複数の項目の内、前記履歴情報に含まれている少なくとも一つの相手先に対応する項目の識別情報を少なくとも一つのリスト項目に含む宛先リストを前記情報として、前記複合装置に送信するステップと、前記複合装置が、前記装置アドレス帳に含まれている複数のレコードの内、前記少なくとも一つのリスト項目に対応するレコードから、前記一つの機能に対応する宛先を抽出して、前記抽出された宛先を前記少なくとも一つのリスト項目に追加するステップと、を備えることを特徴とする。
【００１１】
本発明の一態様に係る通信システムは、複合装置及び携帯端末を備える通信システムであって、前記複合装置は、ＮＦＣ（Ｎｅａｒ  Ｆｉｅｌｄ  Ｃｏｍｍｕｎｉｃａｔｉｏｎ）規格に対応したＮＦＣタグと、前記ＮＦＣ規格に対応した近距離無線通信を行う装置ＮＦＣユニットと、ネットワークに接続するための装置通信部と、前記ネットワークにおいて画像データを送信する宛先である送信宛先を入力するための第１の宛先入力画面画像を表示する装置表示部と、前記送信宛先の入力を受け付ける装置入力部と、前記第１の宛先入力画面画像を前記装置表示部が表示する際に、前記携帯端末に予め定められたアプリケーションを起動させるためのアプリ情報を前記ＮＦＣタグに記憶させる装置制御部と、を備え、前記携帯端末は、複数の項目を有し、前記複数の項目の各々は、前記携帯端末で通信を行う相手先毎に複数の宛先を登録することのできる端末アドレス帳を記憶する端末記憶部と、前記ＮＦＣ規格に対応した近距離無線通信を行う端末ＮＦＣユニットと、前記第１の宛先入力画面画像が前記装置表示部に表示されている状態において、前記端末ＮＦＣユニットが前記ＮＦＣタグと通信することにより、前記アプリ情報を取得し、前記取得されたアプリ情報に従って前記予め定められたアプリケーションを起動して、前記複数の項目の内の少なくとも一つの項目に登録されている少なくとも一つの宛先を少なくとも一つのリスト項目に含む宛先リストを生成し、前記生成された宛先リストを前記端末ＮＦＣユニットに前記装置ＮＦＣユニットへ送信させる端末制御部と、を備え、前記装置制御部は、前記装置ＮＦＣユニットを介して、前記宛先リストを取得して、前記宛先リストに含まれている前記少なくとも一つの宛先を選択することで、前記送信宛先を入力することのできる第２の宛先入力画面画像を前記装置表示部に表示させることを特徴とする。
【００１２】
本発明の一態様に係るプログラムは、ＮＦＣ規格に対応した近距離無線通信を行う端末ＮＦＣユニットを備えるコンピュータを、複数の項目の各々に、前記コンピュータで通信を行う相手先毎に複数の宛先を登録することのできる端末アドレス帳を記憶する端末記憶部、及び、前記端末ＮＦＣユニットを介して、ネットワークにおいて画像データを送信する宛先である送信宛先を入力するための第１の宛先入力画面画像を表示する複合装置から、前記コンピュータに予め定められたアプリケーションを起動させるためのアプリ情報を取得し、前記取得されたアプリ情報に従って前記予め定められたアプリケーションを起動して、前記複数の項目の内の少なくとも一つの項目に登録されている少なくとも一つの宛先を少なくとも一つのリスト項目に含む宛先リストを生成し、前記生成された宛先リストを前記端末ＮＦＣユニットに前記複合装置へ送信させる端末制御部、として機能させることを特徴とする。
【発明の効果】
【００１３】
本発明の一態様によれば、携帯端末から必要な宛先を容易に取得することができる。
【図面の簡単な説明】
【００１４】
【図１】実施の形態１〜３に係る画像形成システムの構成を概略的に示すブロック図である。
【図２】実施の形態１〜３における画像形成装置のハードウェア構成を概略的に示すブロック図である。
【図３】実施の形態１及び２における画像形成装置のソフトウェア構成を概略的に示すブロック図である。
【図４】実施の形態１〜３における携帯端末のハードウェア構成を概略的に示すブロック図である。
【図５】実施の形態１における携帯端末のソフトウェア構成を概略的に示すブロック図である。
【図６】実施の形態１における専用アプリの構成を概略的に示すブロック図である。
【図７】実施の形態１における画像形成装置での処理を示すフローチャートである。
【図８】実施の形態１における宛先入力画面画像の第１例を示す概略図である。
【図９】実施の形態１におけるＮＦＣタグ情報の一例を示す概略図である。
【図１０】実施の形態１における宛先入力画面画像の第２例を示す概略図である。
【図１１】実施の形態１における携帯端末での処理を示すフローチャートである。
【図１２】実施の形態１における携帯端末の端末アドレス帳の一例を示す概略図である。
【図１３】実施の形態１における宛先リストの一例を示す概略図である。
【図１４】実施の形態２及び３における携帯端末のソフトウェア構成を概略的に示すブロック図である。
【図１５】実施の形態２及び３における専用アプリの構成を概略的に示すブロック図である。
【図１６】実施の形態２における携帯端末での処理を示すフローチャートである。
【図１７】実施の形態２における履歴情報の一例を示す概略図である。
【図１８】実施の形態２における宛先リストの一例を示す概略図である。
【図１９】実施の形態３における画像形成装置のソフトウェア構成を概略的に示すブロック図である。
【図２０】実施の形態３における画像形成装置での処理を示すフローチャートである。
【図２１】実施の形態３における宛先リストの解析処理を示すフローチャートである。
【図２２】実施の形態３におけるアドレス帳検索処理を示すフローチャートである。
【図２３】実施の形態３における履歴情報の一例を示す概略図である。
【図２４】実施の形態３における宛先リストの第１例を示す概略図である。
【図２５】実施の形態３における画像形成装置の装置アドレス帳の一例を示す概略図である。
【図２６】実施の形態３における宛先リストの第２例を示す概略図である。
【発明を実施するための形態】
【００１５】
実施の形態１．
図１は、実施の形態１に係る通信システムとしての画像形成システム１００の構成を概略的に示すブロック図である。
画像形成システム１００は、複合装置としての画像形成装置１１０と、携帯端末１５０とを備える。
画像形成装置１１０は、ＮＦＣ（Ｎｅａｒ  Ｆｉｅｌｄ  ｒａｄｉｏ  Ｃｏｍｍｕｎｉｃａｔｉｏｎ）規格に対応し、無線による近距離通信機能を備えるＮＦＣユニット１１８を備え、ＮＦＣユニット１１８は、ＮＦＣ規格に対応し、設定された情報を提供するＮＦＣタグ１１９を備える。なお、ＮＦＣユニット１１８は、装置ＮＦＣユニットともいう。
携帯端末１５０も、ＮＦＣ規格に対応し、無線による近距離通信機能を備えるＮＦＣユニット１５５を備える。
ユーザが携帯端末１５０を画像形成装置１１０に近づけた場合に、携帯端末１５０は、ＮＦＣタグ１１９が提供する情報を、無線１０１で取得できる。更に、ＮＦＣユニット１１８とＮＦＣユニット１５５は、無線１０１で通信することができる。
【００１６】
また、画像形成装置１１０は、メールサーバ１０３と通信するために、インターネット等の第１のネットワーク１０４に接続され、ファクシミリ装置１０５と通信するために、公衆交換電話網等の第２のネットワーク１０６に接続されている。画像形成装置１１０は、メール送信機能を利用する際に、メールサーバ１０３と通信する。画像形成装置１１０は、ファクシミリ送信機能を利用する際に、ファクシミリ装置１０５と通信する。なお、第１のネットワーク１０４と第２のネットワーク１０６とは、同じネットワークでもよい。
【００１７】
図２は、実施の形態１における画像形成装置１１０のハードウェア構成を概略的に示すブロック図である。
画像形成装置１１０は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、ストレージ１１４と、ＮＩＣ（Ｎｅｔｗｏｒｋ  Ｉｎｔｅｒｆａｃｅ  Ｃａｒｄ）１１５と、回線ＩＦ（ＩｎｔｅｒＦａｃｅ）１１６と、操作パネル１１７と、ＮＦＣユニット１１８と、ＮＦＣユニット１１８に含まれているＮＦＣタグ１１９と、画像形成装置本体１２０とを備える。
【００１８】
ＣＰＵ１１１は、プログラムを実行することで、各種演算を行うとともに、画像形成装置１１０の各部を制御する。
ＲＯＭ１１２は、装置制御又は通信制御等のプログラムを格納するとともに、画像形成装置１１０での処理に必要な情報を記憶する不揮発性のメモリである。
ＲＡＭ１１３は、ＣＰＵ１１１が各種プログラムを実行する上でのワークエリアを提供する揮発性のメモリである。
ストレージ１１４は、各種設定情報又は管理情報等を格納するための不揮発性の記憶装置である。
【００１９】
ＮＩＣ１１５は、第１のネットワーク１０４に接続して、通信を行うための通信インターフェースである。
回線ＩＦ１１６は、第２のネットワーク１０６に接続して、通信を行うための通信インターフェースである。第２のネットワーク１０６が公衆交換電話網である場合には、回線ＩＦ１１６には、モデムが含まれる。
操作パネル１１７は、各種画面画像を表示するとともに、ユーザからの指示等の入力を受け付ける。例えば、操作パネル１１７は、タッチパネルにより構成することができる。
ＮＦＣユニット１１８は、無線を用いて近距離通信を行うための通信インターフェースである。ＮＦＣユニット１１８は、設定された情報を提供するＮＦＣタグ１１９を有する。
【００２０】
画像形成装置本体１２０は、画像に関する処理を行う複合装置本体である。
例えば、画像形成装置本体１２０は、原稿から画像データを取得する処理、画像データに基づいて、媒体に画像を形成する処理等を行う。
【００２１】
ここで、ＣＰＵ１１１が、ＲＯＭ１１２、ＲＡＭ１１３又はストレージ１１４を制御することで、画像形成装置１１０の処理に必要な情報を記憶する装置記憶部が実現される。
ＣＰＵ１１１が、ＮＩＣ１１５又は回線ＩＦ１１６を制御することで、装置通信部が実現される。
ＣＰＵ１１１が、操作パネル１１７を制御することにより、装置表示部及び装置入力部が実現される。
ＣＰＵ１１１が、ＮＦＣユニット１１８を制御することにより、装置近距離通信部が実現される。
ＣＰＵ１１１が、ＮＦＣタグ１１９を制御することにより、近距離情報提供部が実現される。
【００２２】
図３は、実施の形態１における画像形成装置１１０のソフトウェア構成を概略的に示すブロック図である。
画像形成装置１１０のソフトウェアにより、画像形成装置１１０での全体の処理を制御する装置制御部１３０が実現される。
【００２３】
例えば、装置制御部１３０は、操作パネル１１７に、画像データを送信する宛先（送信宛先）を入力するための第１の宛先入力画面画像を表示させる際に、携帯端末１５０に予め定められたアプリケーションを起動させるためのアプリ情報をＮＦＣタグ１１９に記憶させる。そして、第１の宛先入力画面画像が操作パネル１１７に表示されている状態において、携帯端末１５０がＮＦＣユニット１１８にかざされると、装置制御部１３０は、ＮＦＣユニット１１８を介して、携帯端末１５０に登録されている少なくとも一つの宛先を含む宛先リストを取得して、その宛先リストに含まれている宛先を選択することで、画像データを送信する宛先を入力することのできる第２の宛先入力画面画像を操作パネル１１７に表示させる。
なお、装置制御部１３０は、操作パネル１１７が第１の宛先入力画面画像を表示する際に、画像形成装置１１０が画像データを送信するモードを示すモード情報もＮＦＣタグ１１９に記憶させる。ここで、モードは、画像形成装置１１０で実行することのできる複数の機能から選択された一つの機能に対応する。モード情報は、その一つの機能を示す情報である。
【００２４】
装置制御部１３０は、操作パネル制御部１３１と、記憶制御部１３２と、ネットワーク通信制御部１３３と、ＮＦＣタグ制御部１３４と、ＮＦＣ通信制御部１３５と、制御部１３６とを備える。
【００２５】
操作パネル制御部１３１は、操作パネル１１７を制御する。例えば、操作パネル制御部１３１は、画像形成装置１１０内のプログラムからの要求により操作パネル１１７に表示する内容の指示、又は、操作者が操作パネル１１７で入力した内容のプログラムへの伝達を行う。
記憶制御部１３２は、ＲＯＭ１１２、ＲＡＭ１１３及びストレージ１１４を制御する。例えば、記憶制御部１３２は、操作者が入力した内容をＲＯＭ１１２、ＲＡＭ１１３及びストレージ１１４の何れかに記憶させる。
【００２６】
ネットワーク通信制御部１３３は、ＮＩＣ１１５及び回線ＩＦ１１６を制御する。例えば、ネットワーク通信制御部１３３は、ＮＩＣ１１５を介して、第１のネットワーク１０４とデータの送受信を行い、回線ＩＦ１１６を介して、第２のネットワーク１０６とデータの送受信を行う。
ＮＦＣタグ制御部１３４は、ＮＦＣタグ１１９を制御する。例えば、ＮＦＣタグ制御部１３４は、ＮＦＣタグ１１９に情報を書き込む。
ＮＦＣ通信制御部１３５は、ＮＦＣユニット１１８を制御する。例えば、ＮＦＣ通信制御部１３５は、ＮＦＣユニット１１８を介して、無線を用いた近距離通信を行う。
【００２７】
制御部１３６は、操作パネル制御部１３１、記憶制御部１３２、ネットワーク通信制御部１３３、ＮＦＣタグ制御部１３４、及び、ＮＦＣ通信制御部１３５を制御する。
【００２８】
図４は、実施の形態１における携帯端末１５０のハードウェア構成を概略的に示すブロック図である。
携帯端末１５０は、ＣＰＵ１５１と、ＲＡＭ１５２と、ストレージ１５３と、操作パネル１５４と、ＮＦＣユニット１５５とを備える。
【００２９】
ＣＰＵ１５１は、プログラムを実行することで、各種演算を行うとともに、携帯端末１５０の各部を制御する。
ＲＡＭ１５２は、ストレージ１５３より各種プログラムを読み出し記憶するエリア、及び、ＣＰＵ１５１が各種プログラムを実行する上でのワークエリアを提供する揮発性のメモリである。
ストレージ１５３は、ＯＳ（Ｏｐｅｒａｔｉｎｇ  Ｓｙｓｔｅｍ）、各種制御プログラム、及び、各種アプリケーンョンプログラム（アプリ）を格納するための不揮発性の記憶装置である。
【００３０】
操作パネル１５４は、各種画面画像を表示するとともに、ユーザからの指示等の入力を受け付ける。例えば、操作パネル１５４は、タッチパネルにより構成することができる。
ＮＦＣユニット１５５は、無線を用いて近距離通信を行うための通信インターフェースである。例えば、携帯端末１５０をＮＦＣユニット１１８に物理的に近づけると、ＮＦＣユニット１５５は、ＮＦＣ規格にてＮＦＣタグ１１９から情報を取得するとともに、ＮＦＣユニット１１８と通信を行う。なお、ＮＦＣユニット１５５は、端末ＮＦＣユニットともいう。
【００３１】
ここで、ＣＰＵ１５１が、ＲＡＭ１５２又はストレージ１５３を制御することで、携帯端末１５０の処理に必要な情報を記憶する端末記憶部が実現される。
ＣＰＵ１５１が、操作パネル１５４を制御することにより、端末表示部及び端末入力部が実現される。
ＣＰＵ１５１が、ＮＦＣユニット１５５を制御することにより、端末近距離通信部が実現される。
【００３２】
図５は、実施の形態１における携帯端末１５０のソフトウェア構成を概略的に示すブロック図である。
携帯端末１５０のソフトウェアにより、携帯端末１５０での全体の処理を制御する端末制御部１６０が実現される。
【００３３】
例えば、画像形成装置１１０の操作パネル１１７に第１の宛先入力画面画像が表示されている状態において、携帯端末１５０が画像形成装置１１０のＮＦＣユニット１１８にかざされると、ＮＦＣユニット１５５がＮＦＣタグ１１９と通信する。そして、端末制御部１６０は、ＮＦＣユニット１５５を介して、アプリ情報を取得し、取得されたアプリ情報に従って予め定められたアプリケーションを起動する。端末制御部１６０は、自身のアドレス帳に含まれている複数の項目の内の少なくとも一つの項目に登録されている少なくとも一つの宛先を少なくとも一つのリスト項目に含む宛先リストを生成する。端末制御部１６０は、生成された宛先リストをＮＦＣユニット１５５にＮＦＣユニット１１８へ送信させる。宛先リストは、少なくとも一つの宛先を示す情報である。
ここで、端末制御部１６０は、アプリ情報とともに画像形成装置１１０のモード情報も取得し、自身のアドレス帳に含まれている複数の項目からモード情報に対応する少なくとも一つの宛先を特定し、特定された少なくとも一つの宛先を含むリスト項目により、宛先リストを生成する。
【００３４】
端末制御部１６０は、ＯＳ１６１と、仮想マシン１６２と、アプリケーションフレームワーク１６３と、専用アプリ１７０とを備える。
ＯＳ１６１は、携帯端末１５０の全体を制御する基本プログラムである。
仮想マシン１６２は、ＯＳ１６１が各種アプリを実行するための環境を提供する。
【００３５】
アプリケーションフレームワーク１６３は、様々な情報及び機能を提供する。アプリケーションフレームワーク１６３が提供する様々な情報及び機能は共通であり、専用アプリ１７０を含めて携帯端末１５０内の各種アプリがそれらを利用することができる。
【００３６】
アプリケーションフレームワーク１６３は、アプリ制御部１６４と、アドレス帳管理部１６５と、ＮＦＣ通信制御部１６６とを備える。
アプリ制御部１６４は、アプリの追加、起動及び削除等、アプリのライフサイクルを制御する。
アドレス帳管理部１６５は、宛先の追加及び削除等、端末アドレス帳を管理し、宛先の内容を各種アプリに提供する。端末アドレス帳は、複数の項目を有し、複数の項目の各々は、携帯端末１５０で通信を行う相手先毎に複数の宛先を登録することができるようにされている。なお、端末アドレス帳は、ストレージ１５３に記憶されている。
ＮＦＣ通信制御部１６６は、ＮＦＣユニット１５５を制御する。例えば、ＮＦＣ通信制御部１６６は、ＮＦＣユニット１５５を介して、無線を用いた近距離通信を行う。
【００３７】
専用アプリ１７０は、実施の形態１における宛先に関する処理を実行する。例えば、専用アプリ１７０は、携帯端末１５０内に記憶されている宛先を収集して、宛先リストを生成し、ＮＦＣ通信制御部１６６に生成された宛先リストを画像形成装置１１０へ送信させる。
【００３８】
図６は、実施の形態１における専用アプリ１７０の構成を概略的に示すブロック図である。
専用アプリ１７０は、ＮＦＣタグ情報取得部１７１と、宛先収集部１７２と、記憶制御部１７３と、アプリ制御部１７４とを備える。
【００３９】
ＮＦＣタグ情報取得部１７１は、ＮＦＣユニット１５５を介して、ＮＦＣタグ１１９に記憶されている情報を取得する。
宛先収集部１７２は、アドレス帳管理部１６５から端末アドレス帳に登録されている少なくとも一つの宛先を収集し、収集された宛先を含むリスト項目からなる宛先リストを生成する。
記憶制御部１７３は、ＮＦＣタグ情報取得部１７１により取得された情報、及び、宛先収集部１７２により生成された宛先リストを、ＲＡＭ１５２又はストレージ１５３に記憶させる。
アプリ制御部１７４は、携帯端末１５０における宛先に関する処理を制御する。例えば、アプリ制御部１７４は、ＮＦＣタグ情報取得部１７１、宛先収集部１７２、及び、記憶制御部１７３を制御する。
【００４０】
実施の形態１に係る画像形成システム１００での処理の概要を説明する。
ユーザは、まず、画像形成装置１１０において、画像形成装置１１０が実行することのできる複数の機能から、宛先の入力を要する機能を起動して、宛先入力画面を表示させる。
次に、ユーザは、携帯端末１５０を画像形成装置１１０にかざして、宛先リストを携帯端末１５０から画像形成装置１１０に無線で送らせる。
画像形成装置１１０は、宛先入力画面に、受信された宛先リストに含まれている宛先を表示し、ユーザは、その宛先を選択等することにより宛先を入力する。画像形成装置１１０は、入力された宛先にＥｍａｉｌ送信を行う。
【００４１】
図７は、実施の形態１における画像形成装置１１０での処理を示すフローチャートである。
図７に示されているフローチャートは、ユーザが画像形成装置１１０で宛先の入力を要する機能を起動することで開始される。ここでは、宛先の入力を要する機能は、画像形成装置１１０で読み取られた画像データを電子メールで送信する機能であるＥｍａｉｌ送信機能であるものとして、説明する。
【００４２】
まず、ユーザがＥｍａｉｌ送信機能を起動すると、操作パネル制御部１３１は、操作パネル１１７に宛先入力画面画像を表示させる（Ｓ１０）。ステップＳ１０で表示される宛先入力画面画像を第１の宛先入力画面画像ともいい、第１の宛先入力画面画像において入力される宛先を送信宛先ともいう。
図８は、宛先入力画面画像の一例を示す概略図である。
図８に示されている宛先入力画面画像１８０は、宛先を入力する宛先入力領域として機能する宛先入力ボックス１８０ａと、送信指示を入力する送信指示入力領域として機能する送信ボタン１８０ｂとを備える。
【００４３】
図７に戻り、ＮＦＣタグ制御部１３４は、操作パネル制御部１３１が宛先入力画面画像１８０を表示する際に、ＮＦＣタグ１１９にＮＦＣタグ情報を書き込む（Ｓ１１）。
図９は、ＮＦＣタグ情報の一例を示す概略図である。
ＮＦＣタグ情報１８１は、起動させるアプリケーションを示すアプリ情報１８１ａと、画像形成装置１１０が画像データを送信するモード（実行されている機能）を示すモード情報１８１ｂとを備える。
ここでは、ＮＦＣタグ制御部１３４は、アプリ情報１８１ａとして、予め定められたアプリケーションである専用アプリ１７０のパッケージ名を格納し、モード情報１８１ｂには、Ｅｍａｉｌ送信機能であることを示すＥｍａｉｌ送信モードであることを示す情報を格納する。
【００４４】
図７に戻り、制御部１３６は、携帯端末１５０が画像形成装置１１０にかざされるまで、待機する（Ｓ１２）。
そして、ＮＦＣ通信制御部１３５は、携帯端末１５０が画像形成装置１１０にかざされたことを検知した場合（Ｓ１３でＹｅｓ）には、処理をステップＳ１４に進める。
【００４５】
ステップＳ１４では、制御部１３６は、携帯端末１５０から宛先リストが受信されるまで、予め定められた時間待機する。
そして、ＮＦＣ通信制御部１３５は、携帯端末１５０から宛先リストを受信した場合（Ｓ１５でＹｅｓ）には、処理をステップＳ１６に進める。なお、受信された宛先リストは、記憶制御部１３２により、ＲＯＭ１１２、ＲＡＭ１１３又はストレージ１１４に記憶される。
【００４６】
ステップＳ１６では、制御部１３６は、携帯端末１５０からの宛先リストに、ステップＳ１１で書き込んだモード情報１８１ｂに対応する宛先を含む項目が含まれているか否かを判断する。そのような項目が含まれていない場合（Ｓ１６でＮｏ）には、処理はステップＳ１７に進み、そのような項目が含まれている場合（Ｓ１６でＹｅｓ）には、処理はステップＳ１８に進む。
【００４７】
ステップＳ１７では、操作パネル制御部１３１は、操作パネル１１７に、エラーを表示する。ここでのエラーは、携帯端末１５０が画像形成装置１１０にかざされたことを認識したが、宛先が見つからないことを示すものとする。
【００４８】
ステップＳ１８では、操作パネル制御部１３１は、受信された宛先リストに含まれている宛先を選択可能なように、宛先入力画面画像を操作パネル１１７に表示させる。なお、ステップＳ１８で表示される宛先入力画面画像を第２の宛先入力画面画像ともいい、第２の宛先入力画面画像で入力される宛先を送信宛先ともいう。
【００４９】
図１０は、受信された宛先リストに含まれている宛先が選択可能なように表示された宛先入力画面画像の一例を示す概略図である。
図１０に示されている宛先入力画面画像１８０＃は、宛先入力ボックス１８０ａ＃と、送信ボタン１８０ｂと、受信された宛先リストに含まれている宛先を選択することのできる宛先選択領域１８０ｃとを備える。
宛先選択領域１８０ｃには、受信された宛先リストの項目に含まれている宛先名（宛先となる装置の名前）及び宛先（Ｅｍａｉｌアドレス）が表示されている。ユーザは、宛先名又は宛先をタッチすることで、宛先入力ボックス１８０ａ＃に宛先を入力することができる。
なお、図１０に示されているように、宛先リストの一番目の宛先（一番上の項目の宛先）がデフォルトで選択されて、宛先入力ボックス１８０ａ＃に、その宛先が自動で入力されていてもよい。
【００５０】
図１１は、実施の形態１における携帯端末１５０での処理を示すフローチャートである。
図１１に示されているフローチャートは、画像形成装置１１０の操作パネル１１７に宛先入力画面画像１８０が表示された状態において、携帯端末１５０が画像形成装置１１０にかざされた場合、言い換えると、携帯端末１５０が画像形成装置１１０から予め定められた範囲内におかれ、携帯端末１５０のＮＦＣユニット１５５が、画像形成装置１１０のＮＦＣタグ１１９と通信して、ＮＦＣタグ１１９から情報を取得できるようになった場合に開始される。
【００５１】
まず、携帯端末１５０が画像形成装置１１０にかざされると、ＯＳ１６１は、ＮＦＣタグ１１９に格納されているアプリ情報１８１ａを参照することで、専用アプリ１７０のパッケージ名を認識して、専用アプリ１７０を仮想マシン１６２の環境の中に起動する。専用アプリ１７０のＮＦＣタグ情報取得部１７１は、ＮＦＣタグ１１９に格納されているモード情報１８１ｂを取得して、記憶制御部１７３にそれをＲＡＭ１５２又はストレージ１５３に記憶させる（Ｓ２０）。ここでは、モード情報１８１ｂは、Ｅｍａｉｌ送信モードであることを示すものとする。
【００５２】
宛先収集部１７２は、アドレス帳管理部１６５に指示することで、ステップＳ２０で記憶されたモード情報１８１ｂで示されているモードに対応する宛先を含む項目を、ストレージ１５３に記憶されている端末アドレス帳から収集する（Ｓ２１）。ここでは、モード情報１８１ｂは、Ｅｍａｉｌ送信モードであることを示すため、Ｅｍａｉｌアドレスを有する項目が収集される。
宛先収集部１７２は、収集された項目から予め定められた内容を抽出することでリスト項目を生成し、生成されたリスト項目からなる宛先リストを生成する。
【００５３】
例えば、携帯端末１５０のストレージ１５３に記憶されている端末アドレス帳が、図１２に示されているような端末アドレス帳テーブル１８２であるものとする。
宛先収集部１７２は、端末アドレス帳テーブル１８２の項目であるレコード１８２ａ〜１８２ｄの内、Ｅｍａｉｌ送信モードに対応する宛先であるＥｍａｉｌアドレスを有するレコード１８２ａ、１８２ｃを収集して、例えば、図１３に示されているような宛先リスト１８３を生成する。宛先リスト１８３には、Ｅｍａｉｌ送信モードとは異なるモードであるファクシミリ送信モードに対応する宛先であるファクシミリ番号が含まれていない。不要な情報は宛先リスト１８３に含める必要がないためである。
なお、レコード１８２ｂ、１８２ｄについては、Ｅｍａｉアドレスが含まれていないため、宛先収集部１７２は、これらのレコードを収集しない。
なお、端末アドレス帳テーブル１８２では、Ｅｍａｉｌアドレス及びファクシミリ番号のそれぞれが宛先に該当し、名前及び電話番号のそれぞれが相手先を識別するための識別情報に該当する。
【００５４】
そして、アプリ制御部１７４は、ＮＦＣ通信制御部１６６に指示することで、生成された宛先リスト１８３を、ＮＦＣユニット１５５から画像形成装置１１０に送信させる（Ｓ２２）。
【００５５】
以上のように、実施の形態１によれば、宛先の入力を要する画像形成装置１１０の機能を利用する際に、宛先を簡易に入力することができる。既に管理され、利用されている携帯端末１５０内の端末アドレス帳を生かすと共にＮＦＣの活用で、手動入力による操作の手間及び入力間違いの問題がなくなる。
特に、ＮＦＣは、事前に接続設定が不要であり、「かざす」だけで機器間の通信ができるため、携帯端末１５０から画像形成装置１１０に宛先リスト１８３を容易に送信することができる。
【００５６】
以上に記載された実施の形態１においては、携帯端末１５０がモード情報に対応する宛先を含む宛先リストを生成して、画像形成装置１１０に送信しているが、実施の形態１は、このような例に限定されない。例えば、携帯端末１５０は、端末アドレス帳に含まれている全ての項目又は一部の項目に対応するリスト項目により宛先リストを生成して、このような宛先リストを、画像形成装置１１０に送信してもよい。画像形成装置１１０は、送られてきた宛先リストから、モード情報に対応する宛先を決定し、決定した宛先を、宛先入力画面画像の宛先選択領域に表示させればよい。この場合、画像形成装置１１０は、モード情報をＮＦＣタグ１１９に記憶させなくてもよい。
【００５７】
実施の形態２．
図１に示されているように、実施の形態２に係る画像形成システム２００は、画像形成装置１１０と、携帯端末２５０とを備える。
実施の形態２における画像形成装置１１０は、実施の形態１における画像形成装置１１０と同様である。
また、実施の形態２における携帯端末２５０のハードウェア構成は、実施の形態１における携帯端末１５０のハードウェア構成と同様である。
【００５８】
図１４は、実施の形態２における携帯端末２５０のソフトウェア構成を概略的に示すブロック図である。
携帯端末２５０のソフトウェアにより、携帯端末２５０での全体の処理を制御する端末制御部２６０が実現される。
例えば、端末制御部２６０は、携帯端末２５０が画像形成装置１１０にかざされた際に、通話中である場合には、携帯端末２５０に登録されている端末アドレス帳から、通話中の相手先の項目を取得し、取得された項目に、ＮＦＣタグ１１９から取得されたモード情報１８１ｂに対応する宛先が登録されている場合には、その宛先を含むリスト項目を宛先リストに含める。
また、端末制御部２６０は、携帯端末２５０で通話を行った相手先を示す履歴情報を参照することで、携帯端末２５０に登録されている端末アドレス帳から、履歴情報で示されている少なくとも一つの相手先に対応する項目を取得し、取得された項目に、ＮＦＣタグ１１９から取得されたモード情報１８１ｂに対応する宛先が登録されている場合には、その宛先を含むリスト項目を宛先リストに含める。この場合、端末制御部２６０は、履歴情報で示されている相手先の内、予め定められた期間内に通話した相手先の項目を取得してもよく、また、履歴情報に含まれている相手先の内、予め定められた数の相手先に対応する項目を取得してもよい。
【００５９】
端末制御部２６０は、ＯＳ１６１と、仮想マシン１６２と、アプリケーションフレームワーク２６３と、専用アプリ２７０とを備える。
実施の形態２における端末制御部２６０のＯＳ１６１及び仮想マシン１６２は、実施の形態１における端末制御部１６０のＯＳ１６１及び仮想マシン１６２と同様である。
【００６０】
実施の形態２におけるアプリケーションフレームワーク２６３は、アプリ制御部１６４と、アドレス帳管理部１６５と、ＮＦＣ通信制御部１６６と、電話状態管理部２６７と、電話履歴管理部２６８とを備える。
実施の形態２におけるアプリケーションフレームワーク２６３のアプリ制御部１６４、アドレス帳管理部１６５及びＮＦＣ通信制御部１６６は、実施の形態１におけるアプリケーションフレームワーク１６３のアプリ制御部１６４、アドレス帳管理部１６５及びＮＦＣ通信制御部１６６と同様である。
【００６１】
電話状態管理部２６７は、携帯端末２５０が通話中か否かの状態を管理して、その状態を示す電話状態情報を各種アプリに提供する。
電話履歴管理部２６８は、携帯端末２５０で通話を行った相手先、言い換えると、電話の着信及び発信の履歴を履歴情報として管理し、その履歴情報の内容を各種アプリが取得できるように提供する。なお、履歴情報は、ストレージ１５３に記憶されている。
【００６２】
専用アプリ２７０は、実施の形態２における宛先に関する処理を実行する。例えば、専用アプリ２７０は、携帯端末２５０内に記憶されている宛先を収集して、宛先リストを生成するとともに、履歴情報に従って宛先リストに含まれているリスト項目の順番をソートし、ＮＦＣ通信制御部１６６にソートされた宛先リストを画像形成装置１１０へ送信させる。
【００６３】
図１５は、実施の形態２における専用アプリ２７０の構成を概略的に示すブロック図である。
専用アプリ２７０は、ＮＦＣタグ情報取得部１７１と、宛先収集部２７２と、記憶制御部１７３と、アプリ制御部２７４と、電話状態取得部２７５と、電話履歴取得部２７６とを備える。
実施の形態２における専用アプリ２７０のＮＦＣタグ情報取得部１７１及び記憶制御部１７３は、実施の形態１における専用アプリ１７０のＮＦＣタグ情報取得部１７１及び記憶制御部１７３と同様である。
【００６４】
電話状態取得部２７５は、携帯端末２５０が通話中かどうかを示す電話状態情報を電話状態管理部２６７から取得する。
電話履歴取得部２７６は、電話履歴管理部２６８が管理する履歴情報の中から、予め定められた数、又は、予め定められた期間内に含まれる項目を取得する。
アプリ制御部２７４は、携帯端末２５０における宛先に関する処理を制御する。例えば、アプリ制御部２７４は、ＮＦＣタグ情報取得部１７１、宛先収集部２７２、記憶制御部１７３、電話状態取得部２７５及び電話履歴取得部２７６を制御する。
宛先収集部２７２は、電話状態取得部２７５で取得された電話状態情報及び電話履歴取得部２７６で取得された履歴情報に応じて、アドレス帳管理部１６５から対応する宛先を収集し、収集された宛先を含むリスト項目からなる宛先リストを生成する。
【００６５】
図１６は、実施の形態２における携帯端末２５０での処理を示すフローチャートである。
図１６に示されているフローチャートに含まれているステップの内、図１１に示されているフローチャートのステップと同様のステップについては、図１１と同様の符号を付すことで、詳細な説明を省略する。
図１６に示されているフローチャートも、携帯端末２５０が画像形成装置１１０にかざされた場合に開始される。
【００６６】
まず、携帯端末２５０が画像形成装置１１０にかざされると、ＮＦＣタグ情報取得部１７１は、ＮＦＣタグ１１９に格納されているモード情報１８１ｂを取得して、記憶制御部１７３は、それをＲＡＭ１５２又はストレージ１５３に記憶させる（Ｓ２０）。ここでは、モード情報１８１ｂは、Ｅｍａｉｌ送信モードであることを示すものとする。
【００６７】
電話状態取得部２７５は、電話状態管理部２６７に指示することで、ストレージ１５３に記憶されている電話状態情報を取得する。そして、アプリ制御部２７４は、電話状態情報を参照することで、携帯端末２５０が通話中か否かを確認する（Ｓ３０）。携帯端末２５０が通話中の場合（Ｓ３０でＹｅｓ）には、処理はステップＳ３２に進み、携帯端末２５０が通話中ではない場合（Ｓ３０でＮｏ）には、処理はステップＳ３１に進む。
【００６８】
ステップＳ３１では、電話履歴取得部２７６は、電話履歴管理部２６８に指示することで、ストレージ１５３に記憶されている履歴情報を取得する。そして、アプリ制御部２７４は、履歴情報に、通話完了後予め定められた期間内の相手先が存在するか否かを確認する。ここで、予め定められた時間は、例えば、３０秒とする。このような相手先が存在する場合（Ｓ３１でＹｅｓ）には、処理はステップＳ３２に進み、このような相手先が存在しない場合（Ｓ３１でＮｏ）には、処理はステップＳ２１に進む。
【００６９】
ステップＳ３２では、宛先収集部２７２は、アドレス帳管理部１６５に指示することで、通話中、又は、通話完了後一定期間内の相手先の宛先を含む項目を取得して、取得された項目に、ＮＦＣタグ１１９から取得されたモード情報１８１ｂに対応する宛先が含まれているか否かを判断する。そして、取得された項目にそのような宛先が含まれている場合には、そのような項目に含まれている内容により宛先リストを生成する。ここでは、宛先として、Ｅｍａｉｌ送信モードに対応するＥｍａｉｌアドレスを含むリスト項目だけが生成される。すなわち、通話中、又は、通話完了後一定期間内の相手先の項目の内、Ｅｍａｉｌアドレスが登録されていない項目に対応するリスト項目ついては、宛先リストに追加されない。その後、処理は、ステップＳ２２に進む。
【００７０】
なお、ステップＳ３２において、通話中と判断された相手先の宛先の内、モード情報１８１ｂに対応する宛先（ここでは、Ｅｍａｉｌアドレス）を、第１の宛先ともいい、第１の宛先を含む項目リストを第１の項目リストともいう。
また、ステップＳ３２において、予め定められた期間内に通話した相手先の宛先の内、モード情報に１８１ｂに対応する宛先（ここでは、Ｅｍａｉｌアドレス）を、第２の宛先ともいい、第２の宛先を含む項目リストを第２の項目リストともいう。
【００７１】
ステップＳ２１では、宛先収集部２７２は、アドレス帳管理部１６５に指示することで、ステップＳ２０で記憶されたモード情報１８１ｂで示されているモードに対応する宛先を含む項目を、ストレージ１５３に記憶されている端末アドレス帳から収集し、収集された項目により宛先リストを生成する。
【００７２】
電話履歴取得部２７６は、電話履歴管理部２６８に指示することで、ストレージ１５３に記憶されている履歴情報を取得する。そして、アプリ制御部２７４は、履歴情報を参照して、電話の履歴に応じて、生成された宛先リストをソートする（Ｓ３３）。ここでは、通話を行った順に、宛先リストのリスト項目が下方に位置するように、宛先リストがソートされる。言い換えると、通話を行った逆の順番に、リスト項目が並ぶように処理される。
【００７３】
例えば、携帯端末２５０のストレージ１５３に記憶されている端末アドレス帳が、図１２に示されているような端末アドレス帳テーブル１８２であるものとする。
また、携帯端末２５０のストレージ１５３に記憶されている履歴情報が、図１７に示されている履歴テーブル１８４であるものとする。
このような場合には、ステップＳ３３でソートされた宛先リストは、図１８に示されている宛先リスト１８３＃のようになる。
具体的には、ステップＳ２１において、Ｅｍａｉｌ送信モードに対応する宛先を有する項目が収集されて、図１３に示されている宛先リスト１８３が生成される。そして、図１７に示されている履歴テーブル１８４では、「Ｕｓｅｒ０００１」の電話番号「０１２０−０００−０００１」との通話が先に行われている。このため、宛先リスト１８３において、「Ｕｓｅｒ０００１」に対応する項目が「Ｕｓｅｒ０００３」よりも下方に配置されて、宛先リスト１８３＃のようになる。
【００７４】
図１６に戻り、ステップＳ２２では、アプリ制御部２７４は、ＮＦＣ通信制御部１６６に指示することで、宛先リストを、ＮＦＣユニット１５５から画像形成装置１１０に送信させる。
【００７５】
以上のように、実施の形態２によれば、実施の形態１の効果に加えて、電話状態及び電話履歴に基づいて、ユーザが最近通信を行った相手の宛先が見つけやすくなる。
【００７６】
なお、以上に記載した実施の形態２では、図１６のステップＳ３２の処理の後に、処理はステップＳ２２に進んでいるが、実施の形態２は、このような例に限定されない。例えば、図１６のステップＳ３２の処理の後に、処理はステップＳ２１に進んでもよい。このような場合には、宛先収集部２７２は、宛先リストに含まれているリスト項目の内、宛先において重複するリスト項目を削除する。
【００７７】
また、以上に記載したステップＳ３１では、宛先収集部２７２は、予め定められた期間内に通話を行った相手先があるか否かを判断しているが、実施の形態２は、このような例に限定されない。例えば、宛先収集部２７２は、ステップ３１において、履歴情報から、最近通話を行った相手先から、予め定められた数の相手先を特定し、ステップＳ３２において、特定された相手先の宛先の内、モード情報１８１ｂに対応する宛先を宛先リストに追加してもよい。このような場合には、ステップＳ２１及びＳ３３の処理は行われなくてもよく、また、ステップＳ３２の後に、ステップＳ２１に進んでもよい。
【００７８】
以上に記載された実施の形態２では、図１６に示されているフローチャートにおいて、ステップＳ３０及びステップＳ３１の両方が含まれているが、これらの何れか一方のみが含まれていてもよい。
【００７９】
以上に記載された実施の形態２においては、携帯端末２５０がモード情報に対応する宛先を含む宛先リストを生成して、画像形成装置１１０に送信しているが、実施の形態２は、このような例に限定されない。例えば、携帯端末２５０は、端末アドレス帳に含まれている全ての項目又は一部の項目に対応するリスト項目により宛先リストを生成して、このような宛先リストを、画像形成装置１１０を送信してもよい。ここで、一部の項目は、携帯端末２５０で通話中の相手先に対応する項目であってもよく、また、履歴情報から特定された相手先に対応する項目であってもよい。画像形成装置１１０は、送られてきた宛先リストから、モード情報に対応する宛先を決定し、決定した宛先を、宛先入力画面画像の宛先選択領域に表示させればよい。この場合、画像形成装置１１０は、モード情報をＮＦＣタグ１１９に記憶させなくてもよい。
【００８０】
実施の形態３．
図１に示されているように、実施の形態３に係る画像形成システム３００は、画像形成装置３１０と、携帯端末３５０とを備える。
実施の形態３における画像形成装置３１０及び携帯端末３５０のハードウェア構成は、実施の形態１における画像形成装置１１０及び携帯端末１５０のハードウェア構成と同様である。
【００８１】
図１９は、実施の形態３における画像形成装置３１０のソフトウェア構成を概略的に示すブロック図である。
画像形成装置３１０のソフトウェアにより、画像形成装置３１０での全体の処理を制御する装置制御部３３０が実現される。
例えば、装置制御部３３０は、携帯端末３５０から取得された宛先リストに含まれているリスト項目の内、画像形成装置３１０が画像データを送信するモードに対応する宛先が含まれていないリスト項目がある場合には、画像形成装置３１０に登録されている装置アドレス帳に登録されている宛先を用いて、そのリスト項目に必要な宛先を追加する。
【００８２】
装置制御部３３０は、操作パネル制御部１３１と、記憶制御部１３２と、ネットワーク通信制御部１３３と、ＮＦＣタグ制御部１３４と、ＮＦＣ通信制御部１３５と、制御部３３６と、アドレス帳検索部３３７とを備える。
実施の形態３における装置制御部３３０の操作パネル制御部１３１、記憶制御部１３２、ネットワーク通信制御部１３３、ＮＦＣタグ制御部１３４及びＮＦＣ通信制御部１３５は、実施の形態１における装置制御部１３０の操作パネル制御部１３１、記憶制御部１３２、ネットワーク通信制御部１３３、ＮＦＣタグ制御部１３４及びＮＦＣ通信制御部１３５と同様である。
【００８３】
制御部３３６は、実施の形態１における制御部１３６と同様の処理を行う他、携帯端末３５０からの宛先リストの項目を解析して、モード情報１８１ｂに対応する宛先が含まれていないリスト項目がある場合には、対応する宛先をそのリスト項目に追加する宛先リスト解析処理を行う。
アドレス帳検索部３３７は、画像形成装置３１０のＲＯＭ１１２又はストレージ１１４に記憶されている装置アドレス帳を参照して、モード情報１８１ｂに対応する宛先を検索する処理を行う。装置アドレス帳は、複数の項目（レコード）を有し、複数の項目の各々は、画像形成装置３１０が通信を行う相手先毎に複数の宛先を登録することができるようにされている。
【００８４】
次に、実施の形態３における携帯端末３５０について説明する。
上述のように、実施の形態３における携帯端末３５０のハードウェア構成は、実施の形態１における携帯端末１５０のハードウェア構成と同様である。
実施の形態３における携帯端末３５０のソフトウェアにより、携帯端末３５０での全体の処理を制御する、図１４に示されている端末制御部３６０が実現される。
例えば、端末制御部３６０は、携帯端末３５０が画像形成装置３１０にかざされた場合に、携帯端末３５０が通話中である場合には、携帯端末３５０に登録されている端末アドレス帳から、通話中の相手先に対応する項目から抽出された内容（例えば、相手先の識別情報）を含むリスト項目を宛先リストに含める。
また、端末制御部３６０は、携帯端末３５０で通話を行った相手先を示す履歴情報を参照して、携帯端末３５０に登録されている端末アドレス帳に含まれている少なくとも一つの相手先に対応する項目から抽出された内容を含むリスト項目を宛先リストに含める。
以上のようにして生成される宛先リストに含まれているリスト項目には、モード情報１８１ｂで示されるモードに対応する宛先は含まれていなくてもよい。
【００８５】
図１４に示されているように、実施の形態３における端末制御部３６０は、ＯＳ１６１と、仮想マシン１６２と、アプリケーションフレームワーク２６３と、専用アプリ３７０とを備える。
実施の形態３における端末制御部３６０のＯＳ１６１及び仮想マシン１６２は、実施の形態１における端末制御部１６０のＯＳ１６１及び仮想マシン１６２と同様である。実施の形態３における端末制御部３６０のアプリケーションフレームワーク２６３は、実施の形態２における端末制御部２６０のアプリケーションフレームワーク２６３と同様である。
【００８６】
図１５に示されているように、実施の形態３における専用アプリ３７０は、ＮＦＣタグ情報取得部１７１と、宛先収集部３７２と、記憶制御部１７３と、アプリ制御部２７４と、電話状態取得部２７５と、電話履歴取得部２７６とを備える。
実施の形態３における専用アプリ３７０のＮＦＣタグ情報取得部１７１及び記憶制御部１７３は、実施の形態１における専用アプリ１７０のＮＦＣタグ情報取得部１７１及び記憶制御部１７３と同様である。
実施の形態３における専用アプリ３７０のアプリ制御部２７４、電話状態取得部２７５及び電話履歴取得部２７６は、実施の形態２における専用アプリ２７０のアプリ制御部２７４、電話状態取得部２７５及び電話履歴取得部２７６と同様である。
【００８７】
実施の形態３における宛先収集部３７２は、実施の形態２における宛先収集部２７２とほぼ同様の処理を行うが、図１６に示されているフローチャートのステップＳ３２において、宛先収集部３７２は、アドレス帳管理部１６５に指示することで、通話中、又は、通話完了後一定期間内の相手の宛先を含む項目を取得して、取得された項目に含まれている内容により宛先リストを生成する。実施の形態３では、宛先として、モード情報１８１ｂに対応しない宛先を含む項目の内容も宛先リストに追加される。例えば、実施の形態３では、通話中、又は、通話完了後一定期間内の相手の項目の内、Ｅｍａｉｌアドレスが登録されていない項目の内容についても宛先リストに追加される。
なお、図１６のステップＳ３２の処理の後に、処理はステップＳ２２に進んでいるが、処理はステップＳ２１に進んでもよい。このような場合には、宛先収集部３７２は、宛先リストに含まれているリスト項目の内、名前、電話番号及び宛先の何れかにおいて重複するリスト項目を削除する。
【００８８】
図２０は、実施の形態３における画像形成装置３１０での処理を示すフローチャートである。
図２０に示されているフローチャートに含まれているステップの内、図７に示されているフローチャートのステップと同様のステップについては、図７と同様の符号を付すことで、詳細な説明を省略する。
【００８９】
図２０におけるステップＳ１０〜Ｓ１５までの処理は、図７におけるステップＳ１０〜Ｓ１５までの処理と同様である。但し、図２０では、ステップＳ１５の後に、処理はステップＳ４０に進む。
【００９０】
ステップＳ４０では、制御部３３６は、携帯端末３５０からの宛先リストの解析処理を行う。この処理の詳細は後述する。
ステップＳ４０の後に、処理はステップＳ１６に進む。図２０におけるステップＳ１６〜Ｓ１８までの処理は、図７におけるステップＳ１６〜Ｓ１８までの処理と同様である。
【００９１】
図２１は、宛先リストの解析処理を示すフローチャートである。
なお、宛先リストのリスト項目には、０から順番に整数のインデックスｉが割り当てられているものとする。言い換えると、インデックスｉは、ｉ≧０を満たす整数である。
【００９２】
まず、制御部３３６は、インデックスｉを「０」に初期化する（Ｓ５０）。
次に、制御部３３６は、インデックスｉが宛先リストのリスト項目数よりも小さいか否かを判断する（Ｓ５１）。これにより、制御部３３６は、宛先リストの中身が全て処理完了になったかどうかを確認する。インデックスｉが宛先リストのリスト項目数よりも小さい場合（Ｓ５１でＹｅｓ）には、処理はステップＳ５２に進み、インデックスｉが宛先リストのリスト項目数以上である場合（Ｓ５１でＮｏ）には、処理を終了する。
【００９３】
ステップＳ５２では、制御部３３６は、宛先リストのインデックスｉに対応するリスト項目に、モード情報１８１ｂに対応する宛先（ここでは、Ｅｍａｉｌアドレス）が存在するか否かを判断する。対応する宛先が存在する場合（Ｓ５２でＹｅｓ）には、処理はステップＳ５７に進み、対応する宛先が存在しない場合（Ｓ５２でＮｏ）には、処理はステップＳ５３に進む。
【００９４】
ステップＳ５３では、制御部３３６は、アドレス帳検索部３３７に、画像形成装置３１０の装置アドレス帳において、インデックスｉのリスト項目に対応するとともに、モード情報１８１ｂに対応する宛先を検索するアドレス帳検索処理を行わせる。なお、ここでの処理の詳細は、後述する。
そして、そのような宛先が見つかった場合（Ｓ５４でＹｅｓ）には、処理はステップＳ５５に進み、そのような宛先が見つからなかった場合（Ｓ５４でＮｏ）には、処理はステップＳ５６に進む。
【００９５】
ステップＳ５５では、制御部３３６は、ステップＳ５３において見つけられた宛先を、インデックスｉのリスト項目に追加する。そして、処理はステップＳ５７に進む。
一方、ステップＳ５６では、制御部３３６は、インデックスｉのリスト項目を宛先リストから削除する。そして、処理はステップＳ５７に進む。
【００９６】
ステップＳ５７では、制御部３３６は、インデックスｉに１をインクリメントする。そして、処理はステップＳ５１に戻る。
【００９７】
図２２は、アドレス帳検索処理を示すフローチャートである。
アドレス帳検索部３３７は、画像形成装置３１０の装置アドレス帳において、インデックスｉのリスト項目に対応する項目を検索する（Ｓ６０）。例えば、アドレス帳検索部３３７は、宛先リストにおけるインデックスｉのリスト項目に含まれている電話番号をキーとして用いて、画像形成装置３１０の装置アドレス帳の項目を検索する。
対応する項目がある場合（Ｓ６１でＹｅｓ）には、処理はステップＳ６２に進み、対応する項目がない場合（Ｓ６１でＮｏ）には、処理はステップＳ６４に進む。
【００９８】
ステップＳ６２では、アドレス帳検索部３３７は、ステップＳ６０で見つかった項目内に、モード情報１８１ｂに対応する宛先（ここでは、Ｅｍａｉｌアドレス）があるか否かを判断する。対応する宛先がある場合（Ｓ６２でＹｅｓ）には、処理はステップＳ６３に進み、対応する宛先がない場合（Ｓ６２でＮｏ）には、処理はステップＳ６４に進む。
【００９９】
ステップＳ６３では、アドレス帳検索部３３７は、対応する宛先を制御部３３６に返す。
一方、ステップＳ６４では、アドレス帳検索部３３７は、対応する宛先が見つからなかったことを制御部３３６に返す。
【０１００】
実施の形態３での処理を、具体例を用いて説明する。
携帯端末３５０のストレージ１５３に記憶されている端末アドレス帳が、図１２に示されているような端末アドレス帳テーブル１８２であり、携帯端末３５０のストレージ１５３に記憶されている履歴情報が、図２３に示されている履歴テーブル３８４である場合には、携帯端末３５０では、図２４に示されている宛先リスト３８３が生成される。
【０１０１】
宛先リスト３８３には、履歴テーブル３８４に基づいて、携帯端末３５０の端末アドレス帳において、モード情報１８１ｂに対応する宛先（ここでは、Ｅｍａｉｌアドレス）が登録されていないリスト項目（対象リスト項目）３８３ａ〜３８３ｃについても、追加されている。
【０１０２】
このような宛先リスト３８３を取得した画像形成装置３１０では、制御部３３６は、画像形成装置３１０の装置アドレス帳を用いて、モード情報１８１ｂに対応する宛先を追加する処理を行う。
ここでは、画像形成装置３１０の装置アドレス帳として、画像形成装置３１０のＲＯＭ１１２又はストレージ１１４に図２５に示されている装置アドレス帳テーブル３８５が記憶されているものとする。
【０１０３】
例えば、宛先リスト３８３のリスト項目３８３ａでは、アドレス帳検索部３３７は、電話番号「０１２０‐０００‐０００２」をキーとして、図２５に示されている装置アドレス帳テーブル３８５において、対応する項目を検索する。ここでは、項目３８５ｂが見つかる。そして、アドレス帳検索部３３７は、項目３８５ｂにおいて、モード情報１８１ｂに対応する宛先であるＥｍａｉｌアドレスを検索する。ここでは、Ｅｍａｉｌアドレスが登録されているため、アドレス帳検索部３３７は、Ｅｍａｉｌアドレス「ｕ０００２＠ｍａｉｌ．ｃｏｍ」が登録されている項目３８５ｂを制御部３３６に返す。制御部３３６は、宛先リスト３８３のリスト項目３８３ａにＥｍａｉｌアドレス「ｕ０００２＠ｍａｉｌ．ｃｏｍ」を追加する。
【０１０４】
次に、宛先リスト３８３の項目３８３ｂでは、アドレス帳検索部３３７は、電話番号「０１２０‐０００‐０００４」をキーとして、図２５に示されている装置アドレス帳テーブル３８５において、対応する項目を検索する。ここでは、対応する項目が見つからないため、アドレス帳検索部３３７は、制御部３３６に、対応する宛先が見つからないことを返す。制御部３３６は、宛先リスト３８３から項目３８３ｂを削除する。
【０１０５】
宛先リスト３８３の項目３８３ｃでは、アドレス帳検索部３３７は、電話番号「０１２０‐１１１‐１２３４」をキーとして、図２５に示されている装置アドレス帳テーブル３８５において、対応する項目を検索する。ここでは、項目３８５ａが見つかる。そして、アドレス帳検索部３３７は、項目３８５ａにおいて、モード情報１８１ｂに対応する宛先であるＥｍａｉｌアドレスを検索する。ここでは、Ｅｍａｉｌアドレスが登録されているため、アドレス帳検索部３３７は、Ｅｍａｉｌアドレス「ｕ１２３４＠ｍａｉｌ．ｃｏｍ」が登録されている項目３８５ａを制御部３３６に返す。制御部３３６は、宛先リスト３８３のリスト項目３８３ａにＥｍａｉｌアドレス「ｕ１２３４＠ｍａｉｌ．ｃｏｍ」及び名前「Ｕｓｅ１２３４」を追加する。
【０１０６】
以上のようにして、制御部３３６は、携帯端末３５０からの宛先リスト３８３を、画像形成装置１１０の装置アドレス帳に基づいて、図２６に示されている宛先リスト３８３＃に更新することができる。
【０１０７】
以上のように、実施の形態３によれば、画像形成装置３１０の装置アドレス帳に基づいて、携帯端末３５０の端末アドレス帳及び電話履歴から生成された宛先リストを更新するため、携帯端末３５０に登録されていない宛先でも、画像形成装置３１０で自動的に入力することができる。
【０１０８】
以上に記載された実施の形態では、宛先の入力を要する機能としてＥｍａｉｌ送信機能を用いて説明したが、実施の形態１〜３は、このような機能に限定されない。例えば、ファクシミリ送信機能、個人フォルダへの転送機能、ＳＮＳ（Ｓｏｃｉａｌ  Ｎｅｔｗｏｒｋｉｎｇ  Ｓｅｒｖｉｃｅ）への送信機能等、宛先の入力を要する他の機能でも、以上の特徴を適用することができる。
【０１０９】
また、携帯端末１５０〜３５０から画像形成装置１１０、３１０に送信する宛先リストに、写真、会社名等その他の情報が含められていてもよい。
【符号の説明】
【０１１０】
１００，２００，３００  画像形成システム、  １１０，３１０  画像形成装置、  １１１  ＣＰＵ、  １１２  ＲＯＭ、  １１３  ＲＡＭ、  １１４  ストレージ、  １１５  ＮＩＣ、  １１６  回線ＩＦ、  １１７  操作パネル、  １１８  ＮＦＣユニット、  １１９  ＮＦＣタグ、  １２０  画像形成装置本体、  １３０，３３０  装置制御部、  １３１  操作パネル制御部、  １３２  記憶制御部、  １３３  ネットワーク通信制御部、  １３４  ＮＦＣタグ制御部、  １３５  ＮＦＣ通信制御部、  １３６，３３６  制御部、  ３３７  アドレス帳検索部、  １５０，２５０，３５０  携帯端末、  １５１  ＣＰＵ、  １５２  ＲＡＭ、  １５３  ストレージ、  １５４  操作パネル、  １５５  ＮＦＣユニット、  １５０端末制御部、  １５１  ＯＳ、  １６０，２６０，３６０  端末制御部、  １６１  ＯＳ、  １６２  仮想マシン、  １６３，２６３  アプリケーションフレームワーク、  １６４  アプリ制御部、  １６５  アドレス帳管理部、  １６６  ＮＦＣ通信制御部、  ２６７  電話状態管理部、  ２６８  電話履歴管理部、  １７０，２７０，３７０  専用アプリ、  １７１  ＮＦＣタグ情報取得部、  １７２，２７２，３７２  宛先収集部、  １７３  記憶制御部、  １７４，２７４  アプリ制御部、  ２７５  電話状態取得部、  ２７６  電話履歴取得部。
【図１】
2019083376.tif 000003
【図２】
2019083376.tif 000004
【図３】
2019083376.tif 000005
【図４】
2019083376.tif 000006
【図５】
2019083376.tif 000007
【図６】
2019083376.tif 000008
【図７】
2019083376.tif 000009
【図８】
2019083376.tif 000010
【図９】
2019083376.tif 000011
【図１０】
2019083376.tif 000012
【図１１】
2019083376.tif 000013
【図１２】
2019083376.tif 000014
【図１３】
2019083376.tif 000015
【図１４】
2019083376.tif 000016
【図１５】
2019083376.tif 000017
【図１６】
2019083376.tif 000018
【図１７】
2019083376.tif 000019
【図１８】
2019083376.tif 000020
【図１９】
2019083376.tif 000021
【図２０】
2019083376.tif 000022
【図２１】
2019083376.tif 000023
【図２２】
2019083376.tif 000024
【図２３】
2019083376.tif 000025
【図２４】
2019083376.tif 000026
【図２５】
2019083376.tif 000027
【図２６】
2019083376.tif 000028